(57)【要約】【課題】ランプの脱着を容易に行うことができない、ランプ脱着防止具を提供する。【解決手段】脱着溝が形成された本体と回転子を備えるランプソケットに使用されるランプ脱着防止具１であって、遮蔽部２と、支持部３Ｒ，３Ｌと、挿入部４Ｒ，４Ｌとを備える。遮蔽部２は、脱着溝の幅に形成された面を有し、脱着溝を遮蔽可能である。支持部３Ｒ，３Ｌは、遮蔽部２の面の両側それぞれに、遮蔽部２の面と第１角度または第２角度で交わる方向に延び、かつ脱着溝の長さよりも長く形成される。挿入部４Ｒ，４Ｌは、支持部３Ｒ，３Ｌそれぞれの端部に、支持部３Ｒ，３Ｌの表面と第３角度または第４角度で交わる方向に延び、ソケットの本体と回転子との間に挿入可能である。【選択図】図２
2014123538.tif 000002
【特許請求の範囲】
【請求項１】
本体と、前記本体内にランプの口金ピンを保持可能な回転子とを備え、
前記本体に前記口金ピンが脱着可能な脱着溝が形成された、
ランプソケットに使用されるランプ脱着防止具であって、
前記脱着溝の幅に形成された面を有し、前記脱着溝を遮蔽可能な遮蔽部と、
前記遮蔽部の面の両側それぞれに、前記遮蔽部の面と第１角度または第２角度で交わる方向に延び、かつ前記脱着溝の長さよりも長く形成された支持部と、
前記支持部それぞれの端部に、前記支持部の表面と第３角度または第４角度で交わる方向に延び、前記本体と前記回転子との間に挿入可能な挿入部と、
を備える、
ことを特徴とするランプ脱着防止具。
【請求項２】
前記挿入部は、前記本体の開口部側面と前記回転子の回転側面との間に挿入可能であり、
前記遮蔽部の面の両側それぞれに形成された支持部２つの厚さの和が、前記脱着溝の溝幅と前記口金ピンの直径の差よりも大きい
ことを特徴とする請求項１に記載のランプ脱着防止具。
【請求項３】
前記支持部の第１角度および第２角度は、前記本体の側面に対する前記脱着溝の角度と略同一角度である、
ことを特徴とする請求項１または２に記載のランプ脱着防止具。
【請求項４】
前記遮蔽部は、前記脱着溝が前記本体の側面に形成する開口と同じ形状に形成される、
ことを特徴とする請求項１ないし３のいずれか１つに記載のランプ脱着防止具。
【請求項５】
前記挿入部が板状部材で形成される、
ことを特徴とする請求項１ないし４のいずれか１つに記載のランプ脱着防止具。
【請求項６】
前記支持部は、
前記脱着溝の長さ以下の長さに形成された第１支持部と、
前記本体と前記回転子との間に挿入可能な第２支持部と、
を有する、
ことを特徴とする請求項１ないし５のいずれか１つに記載のランプ脱着防止具。
【請求項７】
前記第２支持部は、前記第１支持部の表面と第５角度で交わる方向に延びる、
ことを特徴とする請求項６に記載のランプ脱着防止具。
【請求項８】
前記挿入部は、前記本体の開口部側面に掛止可能な形状に形成されている、
ことを特徴とする請求項１ないし７のいずれか１つに記載のランプ脱着防止具。
【請求項９】
前記ランプソケットの前記脱着溝の側面は、内壁が互いに向き合う２つの側壁により形成され、
前記第２支持部は、前記側壁の肉厚以上の長さに形成され、
前記挿入部の第３角度または第４角度は、前記挿入部が前記側壁の縁に掛止可能な大きさである、
ことを特徴とする請求項６または７に記載のランプ脱着防止具。
【請求項１０】
前記第２支持部は、前記第１支持部の表面に対して、前記側壁の端面と前記側壁の内壁が形成する角度と略同一角度で交わる方向に延びる、
ことを特徴とする請求項９に記載のランプ脱着防止具。
【請求項１１】
前記挿入部の第３角度または第４角度は、前記側壁の端面と前記側壁の外壁が形成する角度と略同一である、
ことを特徴とする請求項９または１０に記載のランプ脱着防止具。
【請求項１２】
前記遮蔽部の面の一方の側方に配置された前記支持部と、前記遮蔽部の面の他方の側方に配置された前記支持部とは、少なくとも先端側において、前記遮蔽部の面の側方に沿う方向で異なる位置に配置されている、
ことを特徴とする請求項１ないし１１のいずれか１つに記載のランプ脱着防止具。
【請求項１３】
前記支持部の少なくとも先端側は、前記遮蔽部の面の両側それぞれに互い違いに配置されている、
ことを特徴とする請求項１ないし１２のいずれか１つに記載のランプ脱着防止具。
【請求項１４】
前記支持部の少なくとも先端側は、前記第１支持部先端および前記第２支持部で構成される、
ことを特徴とする請求項６に記載のランプ脱着防止具。
【請求項１５】
前記遮蔽部の、支持部が延びる方向と逆の面に形成された柄をさらに備える、
ことを特徴とする請求項１ないし１４のいずれか１つに記載のランプ脱着防止具。
【請求項１６】
前記柄は、前記遮蔽部との間に切り込み部を有する、
ことを特徴とする請求項１５に記載のランプ脱着防止具。
【請求項１７】
前記挿入部の第３角度および第４角度は、９０度またはそれ以上の鈍角である、
ことを特徴とする請求項１ないし１６のいずれか１つに記載のランプ脱着防止具。
【請求項１８】
前記遮蔽部、前記支持部および前記挿入部が板状部材で形成され、
前記遮蔽部の厚さは、前記支持部または前記挿入部の厚さと異なる、
ことを特徴とする請求項１ないし１７のいずれか１つに記載のランプ脱着防止具。
【請求項１９】
前記遮断部は、前記脱着溝の溝幅、溝深さと同じ形状に形成される、
ことを特徴とする請求項１ないし１８のいずれか１つに記載のランプ脱着防止具。
【請求項２０】
前記遮蔽部、前記支持部および前記挿入部の少なくとも１つが曲面形状に形成される、
ことを特徴とする請求項１ないし１９のいずれか１つに記載のランプ脱着防止具。
【請求項２１】
前記回転子は、前記本体の前面に形成された開口部内で回転可能、かつ前記口金ピンが挿入可能な挿入溝が形成され、
前記脱着溝は、前記本体の側面で前記口金ピンを脱着可能かつ前記回転子が所定の角度のときに前記挿入溝と連通する、
前記ランプソケットに使用される、
ことを特徴とする請求項１ないし２０のいずれか１つに記載のランプ脱着防止具。
【請求項２２】
口金ピンを有するランプと、
前記ランプを保持するランプソケットと、
請求項１ないし２１のいずれか１つに記載のランプ脱着防止具と、
を備え、
前記ランプソケットは、
本体と、前記本体内に前記口金ピンを保持可能な回転子とを備え、
前記本体に前記口金ピンが脱着可能な脱着溝が形成された、
ことを特徴とする照明装置。
【請求項２３】
本体と、前記本体内にランプの口金ピンを保持可能な回転子とを備え、
前記本体に前記口金ピンが脱着可能な脱着溝が形成された、
ランプソケットに、請求項１ないし２１のいずれか１つに記載のランプ脱着防止具を装着する方法であって、
前記脱着溝の開口に、前記ランプ脱着防止具の挿入部を挿入するステップと、
前記回転子と前記本体との間に、前記挿入部を挿入するステップと、
前記脱着溝の開口よりも前記脱着溝の内側に前記ランプ脱着防止具の遮蔽部が配置されるまで、前記遮蔽部を前記脱着溝に押し込むステップと、
を含むランプ脱着防止具を装着する方法。
【発明の詳細な説明】
【技術分野】
【０００１】
本発明は、ランプ脱着防止具、照明装置およびランプ脱着防止具を装着する方法に関する。
【背景技術】
【０００２】
ＬＥＤ（Light Emitting Diode）ランプは、白熱電球や蛍光ランプと比較して消費電力が低く寿命が長い。このため、ＬＥＤランプは、これらのランプに替わる光源として普及が進んでいる。
【０００３】
例えば、既存の直管蛍光ランプに替わる直管ＬＥＤランプとして、一般社団法人日本電球工業会規格（JEL801:2010）に対応した直管ＬＥＤランプが販売されている。この直管ＬＥＤランプは、直管ＬＥＤランプ専用の口金を採用することにより、ランプの誤挿入および落下を防止し、安全性を確保している（非特許文献１）。
【０００４】
これに対して、既存の蛍光ランプの口金やソケットを利用することにより、安価かつ簡易な改造でＬＥＤランプに置き換えたいというニーズも多い。このため、従来の蛍光ランプと口金形状等に互換性がある直管形ＬＥＤランプも販売されている。
【０００５】
この直管形ＬＥＤランプには、様々な規格がある。例えば、長さおよび口金形状が同じランプであっても、点灯回路内蔵形または点灯回路非内蔵形、交流用または直流用等、の種類がある（非特許文献２）。
【先行技術文献】
【非特許文献】
【０００６】
【非特許文献１】「業務用照明器具カタログ２０１２−２０１３」、ＮＥＣライティング株式会社、２０１２年７月発行、Ｐ１３
【非特許文献２】「直管形ＬＥＤランプ使用上のご注意」、一般社団法人日本照明器具工業会、２０１２年４月発行、インターネット（URL: http://www.jlassn.or.jp/04siryo/pdf/information/LEDchokkanBaselight.pdf）
【発明の概要】
【発明が解決しようとする課題】
【０００７】
直管形ＬＥＤランプには、様々な規格、種類があるため、照明装置のランプ交換のときに、適切でないランプを一般ユーザーが装着するおそれがある。その対策の一つとして、一般ユーザーがランプの脱着を容易に行うことができない構造を採用し、照明装置の製造者等の専門知識を有する者がランプ交換を行うことが考えられる。
【０００８】
本発明は、上記事情に鑑みてなされたものであり、ランプの脱着を容易に行うことができない、ランプ脱着防止具を提供することを目的とする。
【課題を解決するための手段】
【０００９】
本発明の第１の観点に係るランプ脱着防止具は、
本体と、前記本体内にランプの口金ピンを保持可能な回転子とを備え、
前記本体に前記口金ピンが脱着可能な脱着溝が形成された、
ランプソケットに使用されるランプ脱着防止具であって、
前記脱着溝の幅に形成された面を有し、前記脱着溝を遮蔽可能な遮蔽部と、
前記遮蔽部の面の両側それぞれに、前記遮蔽部の面と第１角度または第２角度で交わる方向に延び、かつ前記脱着溝の長さよりも長く形成された支持部と、
前記支持部それぞれの端部に、前記支持部の表面と第３角度または第４角度で交わる方向に延び、前記本体と前記回転子との間に挿入可能な挿入部と、
を備える、
ことを特徴とする。
【発明の効果】
【００１０】
本発明によれば、ランプの脱着を容易に行うことができない、ランプ脱着防止具を提供することができる。
【図面の簡単な説明】
【００１１】
【図１】ランプ脱着防止具が用いられるソケットの構成を示す図である。
【図２】実施の形態１に係るランプ脱着防止具の構成を示す斜視図である。
【図３】実施の形態１に係るランプ脱着防止具の構成を示す正面図および側面図である。
【図４】実施の形態１に係るランプ脱着防止具の使用方法を示す図である。
【図５】実施の形態１に係るランプ脱着防止具の変形例を示す正面図および側面図である。
【図６】実施の形態２に係るランプ脱着防止具の構成を示す正面図および側面図である。
【図７】実施の形態２に係るランプ脱着防止具の使用方法を示す図である。
【図８】実施の形態２に係るランプ脱着防止具の変形例を示す正面図および側面図である。
【図９】実施の形態１および２に係るランプ脱着防止具の他の使用方法を示す図である。
【図１０】実施の形態３に係るランプ脱着防止具の構成を示す斜視図である。
【図１１】実施の形態３に係るランプ脱着防止具の構成を示す図である。
【図１２】実施の形態３に係るランプ脱着防止具がソケットに装着された状態におけるランプ脱着防止具およびソケットの断面図である。
【図１３】実施の形態３に係るランプ脱着防止具の使用方法を示す図である。
【図１４】実施の形態３に係るランプ脱着防止具の変形例を示す斜視図である。
【発明を実施するための形態】
【００１２】
（実施の形態１）
以下、本発明を実施するための形態について図面を参照して詳細に説明する。なお図中、同一または同等の部分には同一の符号を付す。本実施の形態に係るランプ脱着防止具は、ＬＥＤランプが取り付けられたソケットに装着して用いられる。以下、Ｇ１３口金を有するＬＥＤランプがＧ１３用ソケットに取り付けられ、そのＧ１３用ソケットに、本実施の形態に係るランプ脱着防止具が装着される形態を説明する。
【００１３】
図１は、ランプ脱着防止具が用いられるソケットの構成を説明するための図である。図１に示すように、本実施の形態に係るランプ脱着防止具が装着されるソケット６０は、本体６３と、回転子６２とを備えている。具体的には、ソケット６０は、前面に開口部６４が形成された本体６３と、開口部６４内で回転可能な回転子６２と、を備え、回転子６２は、ランプの口金ピンが挿入可能な挿入溝７０が形成され、本体６３は、側面に口金ピンを脱着可能かつ回転子６２が所定の角度のときに挿入溝７０と連通する脱着溝７１が形成されている。
【００１４】
本体６３は、前面に円形状の開口部６４が形成されている。開口部６４には、回転子６２と回転子保持部６１が配置されている。回転子保持部６１は、開口部６４の中心近傍にあり、その外形が円形状である。回転子保持部６１は、その外形面で回転子６２を回転可能に保持している。
【００１５】
回転子６２は、円環状に形成されている。円環の内側の面が回転子保持部６１に対して摺動可能であり、円環の外側の面が本体６３の開口部６４内壁に対して摺動可能である。
【００１６】
回転子６２の外径は、Ｇ１３口金の一対の口金ピンのピン間の距離よりもやや大きく形成されている。これにより、回転子６２は、ランプの一対の口金ピンが挿入されたときに口金ピンを保持することが可能である。
【００１７】
回転子６２は、円環の外形面の一部を切り欠く切り欠き面７３，７５を有している。回転子６２が回転して、図１に示す直線Ｙと開口部６４内壁が交わる箇所に配置されると、切り欠き面７３，７５は、弾性手段（例えば、スプリング、板ばね）により押さえられる。切り欠き面７３，７５は、回転子の位置決めとして機能する。
【００１８】
回転子６２および回転子保持部６１には、ランプの口金ピンが挿入可能な挿入溝７０が形成されている。回転子６２の外径がＧ１３口金の口金ピンを保持するように形成されているので、本実施の形態の挿入溝７０には、Ｇ１３口金の口金ピンと同じ位置、大きさに形成された、ＬＥＤランプの口金ピンが挿入可能である。
【００１９】
挿入溝７０は、直線形状の溝であり、回転子６２の回転中心を通って回転子６２を２分割するように形成されている。挿入溝７０は、切り欠き面７３の中央から，対向する切り欠き面７５の中央に向かって延びている。
【００２０】
挿入溝７０の溝幅は口金ピンの太さよりも大きく、その長さは、回転子６２の外径とほぼ同じである。挿入溝７０の溝深さは、口金ピンの長さとほぼ同じであり、挿入溝７０に口金ピンを挿入したとき、溝の底に口金ピン先端が当接する。
【００２１】
本体６３は、側面に口金ピンが脱着可能な脱着溝７１が形成されている。脱着溝７１は、挿入溝７０と同様に、直線形状の溝である。ランプの口金ピンが容易に脱着できるように、脱着溝７１は開口側がもっとも幅が広く、溝の奥側に向かって徐々にその幅が狭くなっている。脱着溝７１の溝奥側の幅は、挿入溝７０とほぼ同じであり、脱着溝７１の溝深さは、挿入溝７０の深さと同じである。
【００２２】
脱着溝７１は、本体６３から開口部に向かって延び、開口部６４と連通している。このため、回転子６２を所定の角度に回転させて配置したとき、すなわち、図１に示す直線Ｘと平行な方向に挿入溝７０が向くように回転子６２を回転させて配置したとき、脱着溝７１は挿入溝７０と連通する。
【００２３】
ソケット６０には、ＬＥＤランプが以下のように装着される。
【００２４】
ＬＥＤランプが装着される前の状態では、ソケット６０は、回転子６２が図１に示す直線Ｘと平行な方向に挿入溝７０が向くように回転されている。この状態のソケット６０にＬＥＤランプが装着される。
【００２５】
まず、ＬＥＤランプの口金ピンがソケット６０の前面に向くように配置し、一対の口金ピンを、ソケット側面の脱着溝７１から溝奥側に向かって、すなわち図１に示す直線Ｘの矢印の方向にスライドさせる。
【００２６】
脱着溝７１と挿入溝７０が連通しているので、一対の口金ピンは挿入溝７０に挿入される。一対の口金ピンのうちの一方が挿入溝７０端部の切り欠き面７５に達すると、口金ピンは開口部６４の壁面に当接する。
【００２７】
この状態で、ＬＥＤランプを、ランプの長軸を中心にして回転させる。具体的には、ＬＥＤランプの口金ピンの一方を図１に示すＡ方向に回転させる。
【００２８】
挿入溝７０が図１に示す直線Ｙと平行に配置されると、切り欠き面７３，７５は弾性手段により回転子６２側に向かい付勢された電極（図示しない）により押さえられる。このため、回転子６２の回転が一旦停止する。このとき、電極と口金ピンが電気的に接続され、ＬＥＤランプがソケット６０に装着される。
【００２９】
この状態のソケット６０に実施の形態１に係るランプ脱着防止具が装着され、ランプ脱着防止具が使用される。
【００３０】
図２は、実施の形態１に係るランプ脱着防止具の構成を説明するための図であり、図３は、実施の形態１に係るランプ脱着防止具の構成を説明するための図である。図３のうち（Ａ）が正面図、（Ｂ）が側面図である。図２および図３に示すように、本実施の形態に係るランプ脱着防止具１は、遮蔽部２と、支持部３Ｒ，３Ｌと、挿入部４Ｒ，４Ｌとを備えている。ランプ脱着防止具１がソケット６０に装着されると、遮蔽部２はソケットの脱着溝７１の開口を塞ぎ、支持部３Ｒ，３Ｌは遮蔽部２を支持し、挿入部４Ｒ，４Ｌは回転子６２と開口部６４との間に挿入される。
【００３１】
ランプ脱着防止具１は、端から、挿入部４Ｒ、支持部３Ｒ、遮蔽部２、支持部３Ｌ、挿入部４Ｌの順で接続され、接続箇所で折れ曲がった１枚の板状に形成されている。遮蔽部２、支持部３Ｒ，３Ｌおよび挿入部４Ｒ，４Ｌの、並びの方向（ランプ脱着防止具１の長手方向）に沿った辺の大きさを長さ、それに交わる方向（ランプ脱着防止具１の短手方向）の辺の大きさを幅という。実施の形態１では、ランプ脱着防止具１は各部が一様な幅Ｄ１に形成されている。
【００３２】
遮蔽部２は、長方形の板状に形成されている。遮蔽部２の長さＡ１は、ソケットの脱着溝７１の溝の幅とほぼ同じ長さに形成されている。これにより、ランプ脱着防止具１がソケット６０に装着されたときに、遮蔽部２がソケットの脱着溝７１を遮蔽する。
【００３３】
遮蔽部２の幅Ｄ１は、ソケットの脱着溝７１の溝の深さよりもやや小さく形成されている。Ｄ１がこのような幅であれば、脱着溝７１の溝の大部分を遮蔽部２が遮蔽することになるので、ユーザーがランプ脱着防止具１をソケットから取り外しにくくすることが可能である。ランプ脱着防止具１をソケットから、より取りはずしにくくするためには、幅Ｄ１は、好ましくは、脱着溝７１の溝の深さとほぼ同じ長さに形成する。
【００３４】
このように、遮蔽部２は、脱着溝７１が本体６３側面に形成する開口と同じ形状に形成される。図２に示す遮蔽部２は、脱着溝７１の開口が長方形であるので、これとほぼ同じ長方形の板状に形成されている。
【００３５】
支持部３Ｒ，３Ｌは、図２および図３に示すように、遮蔽部２の表面の両側それぞれに、遮蔽部２の表面と所定の角度で交わるように形成されている。具体的には、支持部３Ｒ，３Ｌは、遮蔽部の短手方向端部の両側から遮蔽部と同じ面の側に遮蔽部から略垂直方向（図３に示す角度ｐ１がほぼ９０度）に折れ曲がる方向に延びている。支持部３Ｒ，３Ｌが折れ曲がる方向は、遮蔽部２の面に対して同じ面側（図３（Ａ）の下方側）であり、遮蔽部２と支持部３Ｒ，３Ｌは断面コの字形状をなしている。図１に示す脱着溝７１は、その奥側で両側の壁がほぼ平行なので、このような角度で配置されることにより、ランプ脱着防止具１がソケット６０に装着されたときに、支持部３Ｒ，３Ｌが脱着溝７１に密着しやすい。
【００３６】
このように、支持部３Ｒ，３Ｌの、遮蔽部２の表面に対する角度を、ソケット６０の本体６３側面に対する脱着溝７１の角度とほぼ同じ角度とすることにより、支持部３Ｒ，３Ｌを脱着溝７１に密着させることが可能である。
【００３７】
支持部３Ｒ，３Ｌは、遮蔽部２と同様に、長方形の板状に形成されている。支持部３Ｒの長さＢ１は、脱着溝７１の長さよりも長く形成されている。これにより、ランプ脱着防止具１がソケット６０に装着されたときに、支持部３Ｒ，３Ｌは、脱着溝７１の端部（すなわち脱着溝７１が挿入溝７０と連通する部分）まで達し、その先端は、挿入部４Ｒ，４Ｌとともに、回転子６２と開口部６４内壁との間に挟まれる。
【００３８】
支持部３Ｒ，３Ｌの幅Ｄ１は、遮蔽部２の幅Ｄ１と同じである。このような幅であれば、脱着溝７１の溝と接する部分が多くなるので、その摩擦力によりランプ脱着防止具１をソケット６０からはずれにくくすることが可能である。
【００３９】
挿入部４Ｒ，４Ｌは、支持部３Ｒ，３Ｌの端部それぞれから支持部３Ｒ，３Ｌの表面と所定の角度で交わるように形成されている。具体的には、挿入部４Ｒ，４Ｌは、支持部３Ｒ，３Ｌの端部から略垂直方向（図３に示す角度ｑ１がほぼ９０度）に折れ曲がる方向に延びている。挿入部４Ｒ，４Ｌが屈曲する方向は、遮蔽部２を基準とすると、互いに逆方向（図３（Ａ）の右または左方向）である。
【００４０】
図１に示す挿入溝７０は、その端部で回転子６２と本体６３との間の隙間が形成する溝と交わっているが、挿入部４Ｒ，４Ｌがこのような角度で折れ曲がるように形成されることにより、挿入部４Ｒ，４Ｌの先端が上記隙間に引っかかりやすくなる。このため、ランプ脱着防止具１をソケット６０に装着するときに、挿入部４Ｒ，４Ｌの上記隙間への挿入が容易である。
【００４１】
挿入部４Ｒ，４Ｌは、遮蔽部２および支持部３Ｒ，３Ｌと同様に、長方形の板状に形成されている。挿入部４Ｒ，４Ｌの長さＣ１は、例えば、遮蔽部２の半分の長さに形成されている。挿入部４Ｒ，４Ｌの長方形の一辺は、挿入部４Ｒ，４Ｌが回転子６２と本体６３との間の隙間に挿入されたときに十分な摩擦力が得られるような長さに形成される。
【００４２】
挿入部４Ｒ，４Ｌの幅Ｄ１は、遮蔽部２および支持部３Ｒ，３Ｌのそれと同じである。このような幅であれば、はずれにくくすることが可能であることは、支持部３Ｒ，３Ｌと同様である。
【００４３】
ランプ脱着防止具１の厚み、すなわち遮蔽部２、支持部３Ｒ，３Ｌおよび挿入部４Ｒ，４Ｌの厚みは、例えば、０．４〜０．５ｍｍである。このような厚みであれば、ＬＥＤランプの口金ピンが脱着溝７１を通過できず、ランプ脱着防止具１の装着により、ソケット６０からＬＥＤランプを容易に取り外すことができない。また、このような厚みであれば、ランプ脱着防止具１の挿入部４Ｒ，４Ｌ等が回転子６２と本体６３との間に挿入可能である。
【００４４】
具体的には、例えば、ＬＥＤランプの口金ピンの太さがＧ１３口金の規格と同じ（２．２９〜２．６７ｍｍ）であり、脱着溝７１（または挿入溝７０）の溝幅が３．０ｍｍである場合、ランプ脱着防止具１の厚みが０．１７〜０．３６ｍｍ以上であれば、脱着溝７１に挿入された２つの支持部３Ｒ，３Ｌが脱着溝７１を塞ぎ、口金ピンが脱着溝７１を通過できないようにすることが可能である。ランプ脱着防止具１の装着によって脱着溝７１の溝幅は２つの支持部の厚みの合計だけ小さくなるので、口金ピンの直径と２つの支持部の厚さの和が、脱着溝７１の溝幅より大きければよい。
【００４５】
遮蔽部２、支持部３Ｒ，３Ｌおよび挿入部４Ｒ，４Ｌは、同じ樹脂材料で形成されている。材料が樹脂材料であるので、例えば、脱着溝７１の開口とその奥の溝断面形状が異なる場合であっても、遮蔽部２はその形状に応じて変形可能である。また、支持部３Ｒ，３Ｌも脱着溝７１の形状に応じて変形可能である。
【００４６】
変形可能な材料には、樹脂材料のほか、金属材料がある。ランプ脱着防止具１は口金ピンや電極近傍に配置されるので、金属材料を用いて遮蔽部２等を形成する場合は、その表面に絶縁膜のコーティングを施す等、絶縁対策を行って形成する。
【００４７】
遮蔽部２、支持部３Ｒ，３Ｌおよび挿入部４Ｒ，４Ｌは、好ましくは弾性を有する材料で形成される。例えば、本実施の形態のように、樹脂材料で形成すると、ランプ脱着防止具１がソケット６０に装着された後、支持部３Ｒ，３Ｌが脱着溝７１内でもとの形状に戻ろうとし、支持部３Ｒ，３Ｌを脱着溝７１に密着させることが可能である。
【００４８】
本実施の形態に係るランプ脱着防止具１は、板状部材が折り曲げられるようにして製造される。具体的には、長方形状のプラスチック板の中央部を遮蔽部２とし、その両側を山折りにして支持部３Ｒ，３Ｌを形成する。形成された支持部３Ｒ，３Ｌの端部を挿入部４Ｒ，４Ｌとし、その境界を谷折りにして挿入部４Ｒ，４Ｌを形成する。
【００４９】
このように、本実施の形態に係るランプ脱着防止具１は、その構造が簡易である。このため、本実施の形態に係るランプ脱着防止具１は、簡便かつ安価に製造可能である。
【００５０】
図４は、実施の形態１に係るランプ脱着防止具の使用方法を説明するための図である。
【００５１】
図４（Ａ）は、ＬＥＤランプの口金が装着され、ＬＥＤランプが回転されて装着されている状態のソケットを示す。ランプ脱着防止具１は、この状態のソケット６０に装着される。図４（Ａ）に示すように、ランプ脱着防止具１はソケット６０側面側から装着される。
【００５２】
まず、図４（Ｂ）に示すように、ランプ脱着防止具１の支持部３と挿入部４との間を挟んで、ランプ脱着防止具１を変形させる。挿入部４の一方の先端と他方の先端との間隔が脱着溝７１より小さくなるようにする。
【００５３】
次に、図４（Ｃ）に示すように、ランプ脱着防止具１の挿入部４をソケット６０の脱着溝７１に挿入する。ランプ脱着防止具１を脱着溝７１に押し込んでいくと、挿入部４の先端は、脱着溝７１が挿入溝７０と連通する部分に達する。挿入部４の先端は、支持部３に対して外側に開くように配置されているので、回転子６２と本体６３との間の隙間に引っかかり、挿入部４は、図４（Ｄ）に示すように、回転子６２の回転側面と本体６３の開口部側面との間の隙間に挿入される。
【００５４】
最後に、図４（Ｅ）に示すように、ランプ脱着防止具１の遮蔽部２が脱着溝７１開口を覆うような位置までランプ脱着防止具１を押し込む。支持部３Ｒ，３Ｌの一部と挿入部４Ｒ，４Ｌが回転子６２と本体６３との間の隙間に挿入される。
【００５５】
ランプ脱着防止具１の遮蔽部２が脱着溝７１開口よりも内側、すなわち、ソケット６０の側面よりも脱着溝７１内側に配置されるまで押し込むと、ランプ脱着防止具１の遮蔽部２を例えば爪でひっかけてランプ脱着防止具１を取り外すことが難しくなる。
【００５６】
ランプ脱着防止具１は、一旦挿入されると、ソケット６０のランプ側（ソケット前面側）はランプ口金に塞がれているので取り外すことは難しい。ランプ脱着防止具１が装着された状態では、口金をソケット６０内で回転させることは可能であるが、ランプ脱着防止具１により脱着溝７１が塞がれているので、口金ピンをソケット６０の側方に取り外すことができない。２つの支持部３Ｒ，３Ｌの厚さの合計が、脱着溝７１と口金ピンの隙間より大きければ、ランプ脱着防止具１を取り除かない限り、口金ピンを脱着溝７１から取り外すことができない。
【００５７】
以上のように、本実施の形態に係るランプ脱着防止具１は、構造が簡単で、装着が容易である。本実施の形態に係るランプ脱着防止具１をソケット６０に装着すると、ランプの脱着を容易に行うことができない。
【００５８】
なお、ソケット６０にランプ脱着防止具１を装着した場合、ランプの脱着は、ソケット６０を照明装置からはずすことにより行われる。具体的には、照明装置を工具等によって分解し、照明装置内部に配置されたソケット基部を露出させる。その後、ソケット基部に設けられたリリースボタン６５を押すことによって、ソケット６０を照明装置からはずし、ソケット６０からＬＥＤランプを引き抜く。
【００５９】
図５は、実施の形態１に係るランプ脱着防止具の変形例を説明するための図である。図５に示すように、実施の形態１に係るランプ脱着防止具は、様々な変形が可能である。
【００６０】
例えば、図５（Ａ）に示すように、遮蔽部２は、板状の平面形状のみならず、曲面形状であってもよい。遮蔽部２は、ソケット６０の外径にあわせた円弧状の曲面を有する形状に形成されてもよい。
【００６１】
また、図５（Ｂ）に示すように、遮蔽部２が立方体形状または直方体形状に形成され、支持部３Ｒ，３Ｌおよび挿入部４Ｒ，４Ｌが板状部材で形成されてもよい。回転子６２と本体６３との間に挿入部４Ｒ，４Ｌが挿入可能なように、遮蔽部２、支持部３Ｒ，３Ｌおよび挿入部４Ｒ，４Ｌのうち、少なくとも挿入部４Ｒ，４Ｌが板状部材で形成されてもよい。
【００６２】
図５（Ｃ）に示すように、遮蔽部２は、支持部３Ｒ，３Ｌおよび挿入部４Ｒ，４Ｌと異なる厚さに形成されてもよい。例えば、遮蔽部２が脱着溝７１をより完全に塞ぐようにするため、遮蔽部２を最も厚く形成し、遮蔽部２、支持部３Ｒ，３Ｌ、挿入部４Ｒ，４Ｌの順でその厚さが薄くなるように形成してもよい。
【００６３】
図５（Ｄ）に示すように、支持部３Ｒ，３Ｌは、その表面が遮蔽部２の表面に対して鋭角を形成するように配置されてもよい。支持部３Ｒ，３Ｌの表面が遮蔽部２の表面に対して形成する角度（図５（Ｄ）に示すｐ１２）は、９０度に限られず、装着されるソケット６０の脱着溝７１の形状に応じて変更可能である。
【００６４】
図５（Ｅ）に示すように、遮蔽部２を側面からみたときの大きさ（図５（Ｅ）に示すＤ１２）が、支持部３Ｒ，３Ｌまたは挿入部４Ｒ，４Ｌの大きさ（図５（Ｅ）に示すＤ１３）と異なる大きさであってもよい。遮蔽部２を側面からみたときの大きさが、支持部３Ｒ，３Ｌまたは挿入部４Ｒ，４Ｌの大きさよりも大きい場合（図５（Ｅ）に示すＤ１２がＤ１３より大きい場合）、遮蔽部２側の長さを遮蔽部２が脱着溝７１をより完全に塞ぐことが可能である。
【００６５】
（実施の形態２）
実施の形態２に係るランプ脱着防止具１は、支持部が２つの板状部材により形成されている。
【００６６】
図６は、実施の形態２に係るランプ脱着防止具の構成を説明するための図である。図６のうち、（Ａ）が正面図、（Ｂ）が側面図である。図６に示すように、本実施の形態に係るランプ脱着防止具１は、遮蔽部２と、第１支持部３１Ｒ，３１Ｌと、第２支持部３２Ｒ，３２Ｌ、挿入部４１Ｒ，４１Ｌとを備えている。ランプ脱着防止具１は、端から、挿入部４１Ｒ、第２支持部３２Ｒ、第１支持部３１Ｒ、遮蔽部２，第１支持部３１Ｌ、第２支持部３２Ｌ、挿入部４１Ｌの順で接続され、接続箇所で折れ曲がった１枚の板状に形成されている。遮蔽部２および挿入部４１Ｒ，４１Ｌは、実施の形態１と同様であり、ランプ脱着防止具１の各部が一様な幅に形成されていること（幅Ｄ２）も実施の形態１と同様であるので、第１支持部３１Ｒ，３１Ｌと、第２支持部３２Ｒ，３２Ｌについて説明する。
【００６７】
第１支持部３１Ｒ，３１Ｌは、遮蔽部２の両側に、遮蔽部２の表面に対してほぼ９０度（図６に示す角度ｐ２がほぼ９０度）に折れ曲がる方向に延びている。このような角度に形成されることにより、第１支持部３１Ｒ，３１Ｌが脱着溝７１に密着しやすいことは実施の形態１と同様である。
【００６８】
第１支持部３１Ｒ，３１Ｌは、実施の形態１の支持部３Ｒ，３Ｌと同様に、長方形の板状に形成されている。
【００６９】
第１支持部３１Ｒ，３１Ｌの長さＢ２０は、脱着溝７１の長さとほぼ同じ長さに形成されている。長さＢ２０は、好ましくは、脱着溝７１の長さ以下であり、より好ましくは、脱着溝７１の長さよりも短い。これにより、ランプ脱着防止具１がソケット６０に装着されたときに、第１支持部３１Ｒ，３１Ｌの先端が脱着溝７１の端部に達し、遮蔽部２がソケット６０表面またはソケット表面よりも脱着溝７１内側に配置される。このため、遮蔽部２を例えば爪でひっかけてランプ脱着防止具１を取り外すことが難しくなり、ランプの脱着を容易に行うことができなくなる。
【００７０】
第１支持部３１Ｒ，３１Ｌの幅Ｄ２は、実施の形態１と同様の長さである。摩擦力によりランプ脱着防止具１がソケット６０からはずれにくくするため、このような幅に形成される。
【００７１】
第２支持部３２Ｒ，３２Ｌは、第１支持部３１Ｒ，３１Ｌの端部それぞれから、第１支持部３１Ｒ，３１Ｌの表面に対して鈍角（図６に示す角度ｑ２０）を形成するように屈曲して配置されている。さらに、第２支持部３２Ｒ，３２Ｌの端部には、挿入部４１Ｒ，４１Ｌが第２支持部３２Ｒ，３２Ｌの表面に対してより大きい角度の鈍角（図６に示す角度ｑ２１，ｑ２１＞ｑ２０）を形成するように屈曲して配置されている。
【００７２】
このように、ランプ脱着防止具１は、２つの板状部材、すなわち、第１支持部３１Ｒ，第２支持部３２Ｒ，挿入部４１Ｒで構成される板状部材と、第１支持部３１Ｌ、第２支持部３２Ｌ，挿入部４１Ｌで構成される板状部材とが、遮蔽部２中央から端部に向かって徐々に外側に開くように形成されている。このため、ランプ脱着防止具１がソケット６０に装着されるとき、実施の形態１の場合と比較して、挿入部４１Ｒ，４１Ｌを回転子６２と本体６３との間の隙間に挿入することがより容易である。
【００７３】
第２支持部３２Ｒ，３２Ｌの長さＢ２１は、第１支持部３１Ｒ，３１Ｌが回転子６２と本体６３との間の隙間に挿入されたときに十分な摩擦力が得られるような長さに形成される。例えば、３〜５ｍｍの長さに形成される。
【００７４】
第２支持部３２Ｒ，３２Ｌの幅Ｄ２は、第１支持部３１Ｒ，３１Ｌのそれと同じである。
【００７５】
ランプ脱着防止具１の厚み、すなわち遮蔽部２、第１支持部３１Ｒ，３１Ｌ、第２支持部３２Ｒ，３２Ｌおよび挿入部４１Ｒ，４１Ｌの厚みは、実施の形態１と同様に、例えば、０．４〜０．５ｍｍである。このような厚みであれば、ソケット６０からＬＥＤランプを容易に取り外すことができず、ランプ脱着防止具１の一部が回転子６２と本体６３との間に挿入可能であることは実施の形態１と同じである。
【００７６】
ランプ脱着防止具１は、弾性を有する樹脂材料（プラスチック）で形成されている。このため、第１支持部３１Ｒ，３１Ｌが脱着溝７１の形状に応じて弾性変形し、脱着溝７１に密着する。
【００７７】
本実施の形態に係るランプ脱着防止具１は、実施の形態１と同様に、板状部材が折り曲げられるようにして製造される。このため、本実施の形態においても、構造が簡易で、簡便かつ安価に製造可能である。
【００７８】
図７は、実施の形態２に係るランプ脱着防止具の使用方法を説明するための図である。
【００７９】
図７（Ａ）に示すように、ランプ脱着防止具１は、実施の形態１と同様に、ソケット６０側面側から装着される。ソケット６０にＬＥＤランプの口金が装着され、ＬＥＤランプが回転されて装着された状態にあるとき、ランプ脱着防止具１を装着することは、実施の形態１と同様である。
【００８０】
まず、図７（Ｂ）に示すように、ランプ脱着防止具１の第１支持部３１、第２支持部３２および挿入部４１を挟んで、ランプ脱着防止具１を変形させる。挿入部４１の一方の先端と他方の先端の間隔が脱着溝７１より小さくなるように変形させることは実施の形態１と同様である。
【００８１】
次に、図７（Ｃ）に示すように、ランプ脱着防止具１の挿入部４１をソケット６０の脱着溝７１に挿入する。ランプ脱着防止具１を脱着溝７１に押し込んでいくと、挿入部４１の先端は、脱着溝７１が挿入溝７０と連通する部分に達し、回転子６２と本体６３との間の隙間に引っかかる。挿入部４１は、図７（Ｄ）に示すように、回転子６２と本体６３との間の隙間に挿入される。
【００８２】
最後に、図７（Ｅ）に示すように、ランプ脱着防止具１の第１支持部３１の端部が脱着溝７１の、挿入溝７０と連通する部分に配置される位置までランプ脱着防止具１を押し込む。これにより、第２支持部３２および挿入部４１が回転子６２の回転側面と本体６３の開口部側面との間の隙間に挿入される。
【００８３】
この状態のとき、第１支持部３１の長さが、脱着溝７１の長さと同じまたはそれ以下であるので、遮蔽部２が脱着溝７１開口近傍またはそれよりも内側に配置される。このように配置されると、例えば爪でひっかけてランプ脱着防止具１を取り外すことが難しくなる。
【００８４】
ランプ脱着防止具１は、一旦挿入されると、ソケット６０のランプ側（ソケット前面側）はランプ口金に塞がれているので取り外すことは難しいことは実施の形態１と同様である。本実施の形態でも、２つの第１支持部３１Ｒ，３１Ｌの厚さの合計が、脱着溝７１と口金ピンの隙間より大きければ、ランプ脱着防止具１を取り除かない限り、口金ピンを脱着溝７１から取り外すことができない。
【００８５】
なお、ランプの脱着が、ソケット６０を照明装置からはずすことにより行われることは実施の形態１と同様である。
【００８６】
本実施の形態に係るランプ脱着防止具１は、実施の形態１と同様に、構造が簡単で、装着が容易である。また、本実施の形態に係るランプ脱着防止具１を用いることにより、ランプの脱着を容易に行うことができなくすることが可能である。
【００８７】
図８は、実施の形態２に係るランプ脱着防止具の変形例を説明するための図である。図８に示すように、実施の形態２に係るランプ脱着防止具は、様々な変形が可能である。
【００８８】
例えば、実施の形態１と同様に、遮蔽部２が立方体形状または直方体形状に形成され、第１支持部３１、第２支持部３２および挿入部４１が板状部材で形成されてもよい（図８（Ａ）参照）。
【００８９】
また、遮蔽部２は、実施の形態１と同様に、第１支持部３１、第２支持部３２および挿入部４１が異なる厚さに形成されてもよいし（図８（Ｂ）参照）、第２支持部３２が挿入部４１と接する辺の長さが、挿入部４１のそれと異なる長さであってもよい（図８（Ｃ）参照）。
【００９０】
図９は、実施の形態に係るランプ脱着防止具の他の使用方法を説明するための図である。実施の形態１および２では、ランプ脱着防止具の挿入部および支持部が本体開口部の側面と回転子の回転側面との間に挿入される形態である。それに対して、図９に示すように、本実施の形態に係るランプ脱着防止具の挿入部および支持部は、本体開口部の前面底面と回転子の間、および口金ピンが設けられたＬＥＤランプ口金の面と回転子の間にランプ脱着防止具が挿入される形態であってもよい。
【００９１】
この場合、遮蔽部２の長さ（図３に示すＡ１）を脱着溝７１の深さにちょうど嵌る大きさに、また、遮蔽部２の幅（図３に示すＤ１）を脱着溝７１の幅にちょうど嵌る大きさとする。ＬＥＤランプをソケット６０に装着したのち、ランプ脱着防止具１を挿入すると、実施の形態１と同様に、ランプ脱着防止具１を取り出すことは困難である。遮蔽部２の厚さを、回転子６２の回転側面と本体開口部の側面の間に入らない程度にしておくと、回転子６２を回転させても、遮蔽部２は、脱着溝７１にとどまったままである。そのため、少なくとも口金側の挿入部３２が、脱着溝７１と挿入溝７１の間にあるので、口金ピンと挿入部が干渉して、口金ピンを脱着溝７１の位置に合わせることができない。その結果、ＬＥＤランプをソケット６０からはずすことができない。この形態でも、ランプ脱着防止具１により脱着溝７１が塞がれているので、口金ピンをソケット６０側方に取り外すことは困難である。ランプ脱着防止具１を、弾性体で図６または図８のような形状に形成しておけば、弾力で本体開口部の底面と口金を押さえるので、脱着溝７１が下に向いていても、ランプ脱着防止具１が脱落することはない。 
【００９２】
（実施の形態３）
実施の形態３に係るランプ脱着防止具１は、挿入部４が本体６３の開口部側面に掛止可能な形状に形成されるとともに、遮蔽部２に柄５を備えている。
【００９３】
図１０および図１１は実施の形態３に係るランプ脱着防止具の構成を説明するための図である。図１０が斜視図であり、図１１の（Ａ）は平面図、（Ｂ）は左側側面図、（Ｃ）は正面図、（Ｄ）は右側側面図、（Ｅ）は底面図である。図１０および図１１に示すように、実施の形態３に係るランプ脱着防止具１は、柄５と、遮蔽部２と、第１支持部３１Ｒ，３１Ｌと、第２支持部３２Ｒ，３２Ｌと、挿入部４１Ｒ，４１Ｌとを備えている。ランプ脱着防止具１は、端から、挿入部４１Ｒ、第２支持部３２Ｒ、第１支持部３１Ｒ、遮蔽部２，第１支持部３１Ｌ、第２支持部３２Ｌ、挿入部４１Ｌの順で接続され、途中の遮蔽部２で柄５が分岐している。遮蔽部２の形状は、実施の形態１および２とほぼ同様であるので、それ以外の構成について以下に説明する。
【００９４】
柄５は、遮蔽部２から第１支持部３１Ｒ，３１Ｌが折れ曲がって延びる方向と逆の方向の面から略垂直方向（図１０に示すＸ矢印と逆方向）に延びている。柄５は、挿入部４１Ｒ，４１Ｌをソケット６０の脱着溝７１に挿入するときに、作業者がつまんでランプ脱着防止具１を保持する部分である。柄５は、作業者がつまみやすいように、板状かつ長方形状に形成されている。
【００９５】
第１支持部３１Ｒ，３１Ｌは、脱着溝７１に密着するように、遮蔽部２の表面に対して鋭角（図１１（Ｃ）に示す角度ｐ３）に折れ曲がって延びている。その形状は逆Ｌ字型であり、基部３１２Ｒ，３１２Ｌと出っ張り部３１１Ｒ，３１１Ｌとで構成されている。
【００９６】
基部３１２Ｒ，３１２Ｌおよび出っ張り部３１１Ｒ，３１１Ｌは、遮蔽部２側から順に、基部３１２Ｒ，出っ張り部３１１Ｒ（または基部３１２Ｌ，出っ張り部３１１Ｌ）の順で接続されている。基部３１２Ｒ，３１２Ｌは、遮蔽部２と同じ幅の長方形状に、出っ張り部３１１Ｒ，３１１Ｌは、遮蔽部２の幅の半分以下の幅（図１１に示すＤ３ａ）を有する長方形状にそれぞれ形成されている。出っ張り部３１１Ｒ，３１１Ｌは、基部３１２Ｒ，３１２Ｌの端部から出っ張るように形成されている。
【００９７】
出っ張り部３１１Ｒ，３１１Ｌは、図１１（Ｂ）および（Ｄ）に示すように、側方からみると、互い違いに配置されている。すなわち、出っ張り部３１１Ｒと３１１Ｌは、側面方向の位置関係において、幅Ｄ３ｂ隔たって配置され、出っ張り部３１１Ｒ，３１１Ｌは、互いに重なり合っていない。このため、ランプ脱着防止具１がソケット６０の脱着溝７１に挿入されるときに、第１支持部３１Ｒ、３１Ｌの面と略垂直方向に（すなわち両側から内側に向かう方向に）力が加わったとしても、出っ張り部３１１Ｒ，３１１Ｌは、その先端が互いに干渉しない。これにより、ランプ脱着防止具１は、より大きく変形することが可能であり、脱着溝７１への挿入が容易である。
【００９８】
第２支持部３２Ｒ，３２Ｌおよび挿入部４１Ｒ，４１Ｌは、出っ張り部３１１Ｒ（または３１１Ｌ）の端部から、第２支持部３２Ｒ，挿入部４１Ｒ（または第２支持部３２Ｌ，挿入部４１Ｌ）の順で接続され、その幅は、出っ張り部３１１Ｒ（または３１１Ｌ）と同じ幅である。このため、第２支持部３２Ｒ，３２Ｌおよび挿入部４１Ｒ，４１Ｌは、出っ張り部３１１Ｒ，３１１Ｌと同様に、遮蔽部２に対して両側の構造物が互いに干渉せず、ランプ脱着防止具１の脱着溝７１への挿入が容易である。
【００９９】
第２支持部３２Ｒ，３２Ｌと挿入部４１Ｒ，４１Ｌは、それぞれ出っ張り部３１１Ｒ，３１１Ｌの表面に対して所定の角度（図１１（Ｃ）に示す角度ｑ３０）、第２支持部３２Ｒ，３２Ｌの表面に対して所定の角度（図１１に示す角度ｑ３１）を形成するように屈曲している。
【０１００】
ランプ脱着防止具１が上記の形状に形成されているので、ランプ脱着防止具１は、ソケット６０に装着されたときに、脱着溝７１を塞ぐとともに、本体６３の開口部側面に掛止可能である。以下、ランプ脱着防止具１の形状とソケット６０の形状との関係について詳細に説明する。
【０１０１】
図１２は、実施の形態３に係るランプ脱着防止具がソケットに装着された状態におけるランプ脱着防止具およびソケットの断面図である。図１２に示すように、ソケット６０の本体６３は、第１壁部６３１Ｒ，６３１Ｌと第２壁部７１１Ｒ，７１１Ｌとで構成されている。第１壁部６３１Ｒ，６３１Ｌは、本体６３の外形を形成している。第２壁部７１１Ｒ，７１１Ｌは、第１壁部６３１Ｒ，６３１Ｌが本体６３内側に向かって屈曲した部分であり、その内壁が脱着溝７１を形成している。
【０１０２】
これに対し、ランプ脱着防止具１の遮蔽部２の幅（図１２に示すＡ３）は、第２壁部７１１Ｒと７１１Ｌの内壁間の距離（すなわち、脱着溝７１の溝幅）とほぼ同じ大きさに、遮蔽部２の奥行き（図１１に示すＤ３）は、第２壁部７１１Ｒ，７１１Ｌの高さ（すなわち脱着溝７１の溝深さ）とほぼ同じ大きさにそれぞれ形成されている。また、第１支持部３１Ｒ，３１Ｌの長さ（図１２に示すＢ３０）は、第２壁部７１１Ｒ，７１１Ｌの長さ（脱着溝７１溝長さ）とほぼ同じ大きさに形成されている。
【０１０３】
このため、ランプ脱着防止具１をソケット６０に装着するとき、第１支持部３１Ｒ，３１Ｌを第２壁部７１１Ｒ，７１１Ｌの内壁との接するように配置し、遮蔽部２でソケット６０の脱着溝７１を遮蔽することが可能である。
【０１０４】
また、ソケット６０において、第２壁部７１１Ｒ，７１１Ｌの端面は、内壁と略垂直に交わる面で構成され、この面が本体６３の開口部側面を形成している。本体６３の開口部側面は、回転子６２の回転側面と所定の距離隔てて対向している。
【０１０５】
これに対し、ランプ脱着防止具１では、第１支持部３１Ｒ，３１Ｌと第２支持部３２Ｒ，３２Ｌとが形成する角度（図１１（Ｃ）に示す角度ｑ３０）が、第２壁部７１１Ｒ，７１１Ｌの端面と内壁が形成する角度とほぼ同じ角度（やや大きい角度）に形成されている。そして、第２支持部３２Ｒ，３２Ｌおよび挿入部４１Ｒ，４１Ｌの厚さ（図１２に示すＢ３５，Ｂ３６）が、第２壁部７１１Ｒ，７１１Ｌの端面と回転子６２の回転側面との間の距離とほぼ同じ大きさにそれぞれ形成されている。
【０１０６】
このため、ランプ脱着防止具１をソケット６０に装着するときに、第２支持部３２Ｒ，３２Ｌおよび挿入部４１Ｒ，４１Ｌを、第２壁部７１１Ｒ，７１１Ｌの端面と回転子６２の回転側面との間に挿入し、第２支持部３２Ｒ，３２Ｌを第２壁部７１１Ｒ，７１１Ｌの端面に接するように配置することが可能である。
【０１０７】
また、ソケット６０において、第２壁部７１１Ｒ，７１１Ｌの端面は、外壁と略垂直に交わっている。この端面の幅（すなわち第２壁面の厚み）は、幅Ｔに形成されている。
【０１０８】
これに対し、第２支持部３２Ｒ，３２Ｌの長さ（図１２に示すＢ３１）は、第２壁部７１１Ｒ，７１１Ｌの端面の幅（幅Ｔ）とほぼ同じ大きさに形成され、その先端で挿入部４１Ｒ，４１Ｌが、所定の角度（図１１（Ｃ）に示す角度ｑ３１）で屈曲している。この所定の角度は、第２壁部７１１Ｒ，７１１Ｌの外壁と端面とが形成する角度とほぼ同じ角度（やや大きい角度）である。
【０１０９】
第２支持部３２Ｒ，３２Ｌおよび挿入部４１Ｒ，４１Ｌは、弾性変形可能な材料で形成されているので、ランプ脱着防止具１に装着するときに変形しても、その後この所定の角度に屈曲した状態に戻る。このため、ランプ脱着防止具１がソケット６０に装着された状態で、挿入部４１Ｒ，４１Ｌは、第２壁部７１１Ｒ，７１１Ｌの外壁と対向し、第２壁部７１１Ｒ，７１１Ｌの外壁に掛止することが可能である。
【０１１０】
実施の形態１および２に係るランプ脱着防止具１の場合、回転子６２が回転すると、挿入部４Ｒ，４Ｌ（または４１Ｒ，４１Ｌ）が回転子６２とともに移動してその位置がずれることがある。これに対し、実施の形態３に係るランプ脱着防止具１は、回転子６２が回転しても挿入部４１Ｒ，４１Ｌが第２壁部７１１Ｒ，７１１Ｌの外壁に掛止し、第１支持部３１Ｒ，３１Ｌおよび挿入部４１Ｒ，４１Ｌが第２壁部７１１Ｒ，７１１Ｌを両側から挟み込む。このため、ランプ脱着防止具１の位置ずれが防止される。
【０１１１】
本実施の形態に係るランプ脱着防止具１は、例えば射出成形により製造される。その材料は、例えばナイロン樹脂である。ランプ脱着防止具１の構造が比較的単純であるので、比較的簡便かつ安価に製造可能である。
【０１１２】
図１３は、実施の形態３に係るランプ脱着防止具の使用方法を説明するための図である。
【０１１３】
図１３（Ａ）に示すように、ランプ脱着防止具１は、実施の形態１および２と同様に、ソケット６０側面側から装着される。ソケット６０にＬＥＤランプの口金が装着され、ＬＥＤランプが回転されて装着された状態にあるとき、ランプ脱着防止具１を装着する。
【０１１４】
まず、図１３（Ｂ）に示すように、ランプ脱着防止具１の挿入部４１のいずれか一方を脱着溝７１に入れ、柄５を用いて脱着溝７１の内壁に押しつけてランプ脱着防止具１を変形させる。ランプ脱着防止具１の変形は、２つの挿入部４１の先端が脱着溝７１に入るまで行う。このとき、出っ張り部よりも先端側の部分が互い違いに配置されているので、ランプ脱着防止具１をより小さく変形させることが可能である。
【０１１５】
次に、図１３（Ｃ）に示すように、ランプ脱着防止具１の挿入部４１をソケット６０の脱着溝７１に挿入する。柄５を用いてランプ脱着防止具１を脱着溝７１に押し込んでいくと、挿入部４１の先端は、回転子６２と本体６３との間の隙間（すなわち図１２に示す第２壁部７１１Ｒ，７１１Ｌの端面と回転子６２の回転側面との間）まで達する。この状態で、図１３（Ｄ）に示すように、柄５を用いて回転子６２と本体６３との間の隙間に挿入部４１を挿入する。
【０１１６】
最後に、図１３（Ｅ）に示すように、ランプ脱着防止具１の第１支持部３１の端部が脱着溝７１の、挿入溝７０と連通する部分に配置されるまでランプ脱着防止具１を押し込む。これにより、図１２に示すように、第２支持部３２Ｒ，３２Ｌが第２壁部７１１Ｒ，７１１Ｌの端面と面するようになり、その端部にある挿入部４１Ｒ，４１Ｌが第２壁部７１１Ｒ，７１１Ｌの外壁と対向する。
【０１１７】
このように、本実施の形態のランプ脱着防止具１は柄５を備えるので、装着が容易である。
【０１１８】
ランプ脱着防止具１は、実施の形態１および２と同様に、ソケット６０に一旦挿入されると、ソケット６０のランプ側がランプ口金に塞がれているので取り外すことは難しい。また２つの第１支持部３１Ｒ，３１Ｌの厚さの合計が脱着溝７１と口金ピンの隙間より大きければ、ランプ脱着防止具１を取り除かない限り、口金ピンを脱着溝７１から取り外すことができない。
【０１１９】
以上のように、このランプ脱着防止具１を用いることにより、ランプの脱着を容易に行うことができないようにすることが可能である。また、上記のように、回転子６２が回転しても、ランプ脱着防止具１の一部が回転子６２とともに移動することがない。このため、回転子６２の回転でランプ脱着防止具１が取り外し容易となることが防止される。
【０１２０】
なお、ランプの脱着は、実施の形態１および２と同様に、ソケット６０を照明装置からはずすことにより行われる。ランプ脱着防止具１の脱着は、ランプの脱着後、ソケット６０のランプ側にスライドさせることにより行われる。
【０１２１】
図１４は、実施の形態３に係るランプ脱着防止具の変形例を説明するための図である。図１４に示すように、実施の形態３に係るランプ脱着防止具は、様々な変形が可能である。
【０１２２】
例えば、実施の形態１および２と同様に、柄５を備えない形態であってもよい（図１４（Ａ）参照）。このような形態でも、ランプ脱着の防止が可能であり、回転子６２の回転によるランプ脱着防止具１の移動を防ぐことが可能である。柄５は、ランプ脱着防止具１の装着の作業の便宜のために設けたものであり、任意の構成要素である。その形状、大きさ等は特に限定されない。
【０１２３】
例えば、柄５は切り込み部５１を有してもよい。切り込み部５１は遮蔽部２との接続部分に形成され、切り込み部５１で柄５を切断できるようにしてもよい（図１４（Ｂ）参照）。例えば、切り込み部５１は作業者が引きちぎることが可能な深さに形成する。ソケット６０にランプ脱着防止具１を装着後、切り込み部５１で柄５を切断することにより、柄５がソケット６０から出っ張ることがなく、外観を向上させることが可能である。
【０１２４】
柄５は、実施の形態３のほか、実施の形態１および２に適用可能である。これらの形態においても、柄５を備えることにより、ランプ脱着防止具１をソケット６０の脱着溝７１に挿入するとき、作業性が向上する。
【０１２５】
実施の形態３において、実施の形態１および２と同様に、第１支持部３１Ｒ，３１Ｌの出っ張り部３１１Ｒ，３１１Ｌが互い違いに配置されない形態であってもよい。例えば、第１支持部３１Ｒ，３１Ｌ、第２支持部３２Ｒ，３２Ｌおよび挿入部４１Ｒ，４１Ｌが、遮蔽部２と同じ幅で形成され、側方からみたときに、互いに重複するように形成されてもよい（図１４（Ｃ）参照）。このような形態でも、ランプ脱着の防止と、回転子６２の回転によるランプ脱着防止具１の移動の防止が可能である。出っ張り部３１１Ｒ，３１１Ｌは、脱着溝７１への挿入が容易となるように設けたものであり、任意の構成要素である。作業者がつまんだりすることによってランプ脱着防止具１を脱着溝７１へ挿入可能であれば十分であり、その形状、大きさも特に限定されない。
【０１２６】
例えば、第１支持部３１Ｒ，３１Ｌそれ自体が、側方の方向において互い違いに配置される形態であってもよく、さらに第１支持部３１Ｒ，３１Ｌの幅が遮蔽部２の幅の半分以下の幅に形成されてもよい（図１４（Ｄ）参照）。
【０１２７】
このような形態は、実施の形態１および２にも適用可能である。例えば、実施の形態１において、遮蔽部２を挟んで左右の支持部３Ｒ，３Ｌおよび挿入部４Ｒ，４Ｌが、互い違いに配置されてもよい。この場合に、さらに支持部３Ｒ，３Ｌおよび挿入部４Ｒ，４Ｌが遮蔽部２の幅の半分以下の幅に形成されてもよい。
【０１２８】
実施の形態３において、第１支持部３１Ｒ，３１Ｌの長さ（図１１に示すＢ３０）が脱着溝７１溝長さとほぼ同じ大きさである形態を説明したが、第１支持部３１Ｒ，３１Ｌはこれに限定されない。例えば、第１支持部３１Ｒ，３１Ｌの長さは、脱着溝７１溝長さよりも短くてもよい。実施の形態３は柄５を備えるので、脱着溝７１の奥まで挿入可能であり、このような第１支持部３１Ｒ，３１Ｌでもソケット６０に装着可能である。
【０１２９】
第２支持部３２Ｒ，３２Ｌの長さ（図１１に示すＢ３１）も第２壁部７１１Ｒ，７１１Ｌの端面の幅とほぼ同じ大きさに限定されない。例えば、第２支持部３２Ｒ，３２Ｌの長さは第２壁部７１１Ｒ，７１１Ｌの端面の幅よりも大きくてもよい。このような長さでも、第２支持部３２Ｒ，３２Ｌの両端で挿入部４１Ｒ，４１Ｌと第１支持部３１Ｒ，３１Ｌとが第２壁部７１１Ｒ，７１１Ｌを挟み込み、回転子６２の所定量以上の回転を防止することが可能である。
【０１３０】
また、第１支持部３１Ｒ，３１Ｌと第２支持部３２Ｒ，３２Ｌとが形成する角度（図１１（Ｃ）に示す角度ｑ３０）は、第２壁部７１１Ｒ，７１１Ｌの内壁と端面とが形成する角度とほぼ同じ角度に限定されない。例えば、第２支持部３２Ｒ，３２Ｌの長さが第２壁部７１１Ｒ，７１１Ｌの端面の幅よりも大きい場合、第２壁部７１１Ｒ，７１１Ｌの内壁と端面とが形成する角度よりも小さくてもよい。
【０１３１】
第２支持部３２Ｒ，３２Ｌと挿入部４１Ｒ，４１Ｌが形成する角度（図１１（Ｃ）に示す角度ｑ３１）についても同じである。例えば、第２支持部３２Ｒ，３２Ｌの長さが第２壁部７１１Ｒ，７１１Ｌの端面の幅よりも大きい場合、第２支持部３２Ｒ，３２Ｌと挿入部４１Ｒ，４１Ｌが形成する角度は、第２壁部７１１Ｒ，７１１Ｌの外壁と端面とが形成する角度よりも小さくてもよい。
【０１３２】
実施の形態３において、第１支持部３１Ｒ，３１Ｌが遮蔽部２の表面に対して鋭角（図１１（Ｃ）に示す角度ｐ３）に折れ曲がっている形態を説明したが、第１支持部３１Ｒ，３１Ｌと遮蔽部２の表面が形成する角度は、この角度に限定されない。第１支持部３１Ｒ，３１Ｌと遮蔽部２の表面が形成する角度が鋭角であれば、脱着溝７１が奥にいくほど狭まっている場合に、回転子６２と本体６３との間の隙間が第２支持部３２Ｒ，３２Ｌの厚みよりも大きくても、ランプ脱着防止具１が脱着溝７１の奥に落ちることがない。例えば、回転子６２が断面楕円形状の場合に作業性がよい。しかし、これは作業の便宜によるものであるので、本発明では任意の要素である。第１支持部３１Ｒ，３１Ｌと遮蔽部２の表面が形成する角度は、例えば、略直角であってもよいし、鈍角であってもよい。
【０１３３】
以上、本発明の実施の形態について説明したが、本発明は上記の実施の形態等に限定されるものではない。例えば、以上の形態では、Ｇ１３口金と同じ規格の口金ピンを有するＬＥＤランプに対応するソケットを例に説明したが、他の回転式ソケットに適用できることは明らかである。例えば、蛍光ランプの規格であるＧ５、Ｒ１７ｄ、Ｒｘ１７ｄ等と同じ口金ピンを有するＬＥＤランプにも適用可能である。
【０１３４】
また、以上の形態では、ＬＥＤランプを例に説明しているが、ＬＥＤランプに限らず、ランプの脱着防止が望まれるランプ、ソケットに適用可能である。
【０１３５】
また、遮蔽部２、支持部３Ｒ，３Ｌ、挿入部４Ｒ，４Ｌの各部が一体で形成された例を説明したが、これらが別々に形成されて接合されてもよい。
【０１３６】
また、遮蔽部２が平面形状、曲面形状である例を説明したが、支持部３Ｒ，３Ｌ、挿入部４Ｒ，４Ｌの各部は、ランプの脱着溝７１に挿入可能、かつ回転子６２と本体６３との間の隙間に挿入可能である限り、平面形状に限定されない。支持部３Ｒ，３Ｌ、挿入部４Ｒ，４Ｌの各部は、遮蔽部２と同様に曲面形状であってもよい。
【０１３７】
上記の実施形態の一部又は全部は、以下の付記のようにも記載されうるが、以下には限られない。
【０１３８】
（付記１）
本体と、前記本体内にランプの口金ピンを保持可能な回転子とを備え、
前記本体に前記口金ピンが脱着可能な脱着溝が形成された、
ランプソケットに使用されるランプ脱着防止具であって、
前記脱着溝の幅に形成された面を有し、前記脱着溝を遮蔽可能な遮蔽部と、
前記遮蔽部の面の両側それぞれに、前記遮蔽部の面と第１角度または第２角度で交わる方向に延び、かつ前記脱着溝の長さよりも長く形成された支持部と、
前記支持部それぞれの端部に、前記支持部の表面と第３角度または第４角度で交わる方向に延び、前記本体と前記回転子との間に挿入可能な挿入部と、
を備える、
ことを特徴とするランプ脱着防止具。
【０１３９】
（付記２）
前記挿入部は、前記本体の開口部側面と前記回転子の回転側面との間に挿入可能であり、
前記遮蔽部の面の両側それぞれに形成された支持部２つの厚さの和が、前記脱着溝の溝幅と前記口金ピンの直径の差よりも大きい
ことを特徴とする付記１に記載のランプ脱着防止具。
【０１４０】
（付記３）
前記支持部の第１角度および第２角度は、前記本体の側面に対する前記脱着溝の角度と略同一角度である、
ことを特徴とする付記１または２に記載のランプ脱着防止具。
【０１４１】
（付記４）
前記遮蔽部は、前記脱着溝が前記本体の側面に形成する開口と同じ形状に形成される、
ことを特徴とする付記１ないし３のいずれか１つに記載のランプ脱着防止具。
【０１４２】
（付記５）
前記挿入部が板状部材で形成される、
ことを特徴とする付記１ないし４のいずれか１つに記載のランプ脱着防止具。
【０１４３】
（付記６）
前記支持部は、
前記脱着溝の長さ以下の長さに形成された第１支持部と、
前記本体と前記回転子との間に挿入可能な第２支持部と、
を有する、
ことを特徴とする付記１ないし５のいずれか１つに記載のランプ脱着防止具。
【０１４４】
（付記７）
前記第２支持部は、前記第１支持部の表面と第５角度で交わる方向に延びる、
ことを特徴とする付記６に記載のランプ脱着防止具。
【０１４５】
（付記８）
前記挿入部は、前記本体の開口部側面に掛止可能な形状に形成されている、
ことを特徴とする付記１ないし７のいずれか１つに記載のランプ脱着防止具。
【０１４６】
（付記９）
前記ランプソケットの前記脱着溝の側面は、内壁が互いに向き合う２つの側壁により形成され、
前記第２支持部は、前記側壁の肉厚以上の長さに形成され、
前記挿入部の第３角度または第４角度は、前記挿入部が前記側壁の縁に掛止可能な大きさである、
ことを特徴とする付記６または７に記載のランプ脱着防止具。
【０１４７】
（付記１０）
前記第２支持部は、前記第１支持部の表面に対して、前記側壁の端面と前記側壁の内壁が形成する角度と略同一角度で交わる方向に延びる、
ことを特徴とする付記９に記載のランプ脱着防止具。
【０１４８】
（付記１１）
前記挿入部の第３角度または第４角度は、前記側壁の端面と前記側壁の外壁が形成する角度と略同一である、
ことを特徴とする付記９または１０に記載のランプ脱着防止具。
【０１４９】
（付記１２）
前記遮蔽部の面の一方の側方に配置された前記支持部と、前記遮蔽部の面の他方の側方に配置された前記支持部とは、少なくとも先端側において、前記遮蔽部の面の側方に沿う方向で異なる位置に配置されている、
ことを特徴とする付記１ないし１１のいずれか１つに記載のランプ脱着防止具。
【０１５０】
（付記１３）
前記支持部の少なくとも先端側は、前記遮蔽部の面の両側それぞれに互い違いに配置されている、
ことを特徴とする付記１ないし１２のいずれか１つに記載のランプ脱着防止具。
【０１５１】
（付記１４）
前記支持部の少なくとも先端側は、前記第１支持部先端および前記第２支持部で構成される、
ことを特徴とする付記６に記載のランプ脱着防止具。
【０１５２】
（付記１５）
前記遮蔽部の、支持部が延びる方向と逆の面に形成された柄をさらに備える、
ことを特徴とする付記１ないし１４のいずれか１つに記載のランプ脱着防止具。
【０１５３】
（付記１６）
前記柄は、前記遮蔽部との間に切り込み部を有する、
ことを特徴とする付記１５に記載のランプ脱着防止具。
【０１５４】
（付記１７）
前記挿入部の第３角度および第４角度は、９０度またはそれ以上の鈍角である、
ことを特徴とする付記１ないし１６のいずれか１つに記載のランプ脱着防止具。
【０１５５】
（付記１８）
前記遮蔽部、前記支持部および前記挿入部が板状部材で形成され、
前記遮蔽部の厚さは、前記支持部または前記挿入部の厚さと異なる、
ことを特徴とする付記１ないし１７のいずれか１つに記載のランプ脱着防止具。
【０１５６】
（付記１９）
前記遮断部は、前記脱着溝の溝幅、溝深さと同じ形状に形成される、
ことを特徴とする付記１ないし１８のいずれか１つに記載のランプ脱着防止具。
【０１５７】
（付記２０）
前記遮蔽部、前記支持部および前記挿入部の少なくとも１つが曲面形状に形成される、
ことを特徴とする付記１ないし１９のいずれか１つに記載のランプ脱着防止具。
【０１５８】
（付記２１）
前記回転子は、前記本体の前面に形成された開口部内で回転可能、かつ前記口金ピンが挿入可能な挿入溝が形成され、
前記脱着溝は、前記本体の側面で前記口金ピンを脱着可能かつ前記回転子が所定の角度のときに前記挿入溝と連通する、
前記ランプソケットに使用される、
ことを特徴とする付記１ないし２０のいずれか１つに記載のランプ脱着防止具。
【０１５９】
（付記２２）
口金ピンを有するランプと、
前記ランプを保持するランプソケットと、
付記１ないし２１のいずれか１つに記載のランプ脱着防止具と、
を備え、
前記ランプソケットは、
本体と、前記本体内に前記口金ピンを保持可能な回転子とを備え、
前記本体に前記口金ピンが脱着可能な脱着溝が形成された、
ことを特徴とする照明装置。
【０１６０】
（付記２３）
本体と、前記本体内にランプの口金ピンを保持可能な回転子とを備え、
前記本体に前記口金ピンが脱着可能な脱着溝が形成された、
ランプソケットに、付記１ないし２１のいずれか１つに記載のランプ脱着防止具を装着する方法であって、
前記脱着溝の開口に、前記ランプ脱着防止具の挿入部を挿入するステップと、
前記回転子と前記本体との間に、前記挿入部を挿入するステップと、
前記脱着溝の開口よりも前記脱着溝の内側に前記ランプ脱着防止具の遮蔽部が配置されるまで、前記遮蔽部を前記脱着溝に押し込むステップと、
を含むランプ脱着防止具を装着する方法。
【符号の説明】
【０１６１】
１                    ランプ脱着防止具
２                    遮蔽部
３，３Ｒ，３Ｌ          支持部
４，４Ｒ，４Ｌ          挿入部
３１，３１Ｒ，３１Ｌ  第１支持部
３１１，３１１Ｒ，３１１Ｌ  出っ張り部
３１２，３１２Ｒ，３１２Ｌ  基部
３２，３２Ｒ，３２Ｌ  第２支持部
４１，４１Ｒ，４１Ｌ  挿入部
５                    柄
５１                  切り込み部
６０                  ソケット
６１                  回転子保持部
６２                  回転子
６３                  本体
６３１Ｒ，６３１Ｌ    第１壁部
６４                  開口部
６５                  リリースボタン
７０                  挿入溝
７１                  脱着溝
７１１Ｒ，７１１Ｌ    第２壁部
７３，７５            切り欠き面
【図１】
2014123538.tif 000003
【図２】
2014123538.tif 000004
【図３】
2014123538.tif 000005
【図４】
2014123538.tif 000006
【図５】
2014123538.tif 000007
【図６】
2014123538.tif 000008
【図７】
2014123538.tif 000009
【図８】
2014123538.tif 000010
【図９】
2014123538.tif 000011
【図１０】
2014123538.tif 000012
【図１１】
2014123538.tif 000013
【図１２】
2014123538.tif 000014
【図１３】
2014123538.tif 000015
【図１４】
2014123538.tif 000016